(57)【要約】      （修正有）【課題】自動車のシートベルトの擦れによる運転者の衣服の劣化やテカリ発生を防止するため、シートベルトに簡易に着脱できるシートベルトカバーを提供する。【解決手段】自動車のシートベルトを被包する方形のシートベルトカバー１であって、シートベルトカバー１の幅Ｗはシートベルト幅の略３倍とし、シートベルトカバー表面１ａの一方の側端部の長さ方向に面ファスナー２ａ、２ｂを上下端を含めて複数箇所取り付けるとともに、シートベルトカバー裏面の他方の側端部にも、シートベルトカバー１を三つ折りしたときにシートベルトカバー表面１ａに取り付けた面ファスナー２ａ、２ｂがそれぞれ接着する位置に面ファスナーを取り付けた。【選択図】図１
0003215360.tif 000002
【実用新案登録請求の範囲】
【請求項１】
自動車のシートベルトを被包する方形のシートベルトカバーであって、前記シートベルトカバーの幅はシートベルト幅の略３倍とし、前記シートベルトカバー表面の一方の側端部の長さ方向に面ファスナーを上下端を含めて複数箇所取り付けるとともに、前記シートベルトカバー裏面の他方の側端部にも、前記シートベルトカバーを三つ折りしたときに前記シートベルトカバー表面に取り付けた面ファスナーがそれぞれ接着する位置に面ファスナーを取り付けたことを特徴とするシートベルトカバー。
【請求項２】
請求項１記載のシートベルトカバーの面ファスナーは、１．５ｃｍ乃至４ｃｍ角あるいは直径１．５ｃｍ乃至４ｃｍであることを特徴とするシートベルトカバー。
【考案の詳細な説明】
【技術分野】
【０００１】  本考案は、自動車のシートベルト着用中にシートベルトと衣服との擦れにより生じる衣服の劣化やテカリを防止するためシートベルトに装着して使用するカバーに関する。
【背景技術】
【０００２】  自動車を運転する際には法令でシートベルトの着用が義務付けられているため、運転者は、常にシートベルトを着用した状態で運転している。
【先行技術文献】
【特許文献】
【０００３】
【特許文献１】特開２００２−１３７７１３号  公報
【特許文献２】特開２０００−２１１４７２号  公報
【考案の概要】
【考案が解決しようとする課題】
【０００４】  上述のように、運転者は、運転中、シートベルトを着用した状態で運転しているが、シートベルト着用中、シートベルトはリトラクターの巻き取り力のため、運転者の背広などの衣服に触れる箇所、例えば肩や胸などへ少し押圧をかける状態で密着している。シートベルトはそれ自体が堅めの化学繊維で作られているため、運転中に運転操作などのため運転者の体が少し動いただけでもシートベルトとシートベルトの衣服密着部との間で擦れが生じることになり、この擦れが衣服の同じ箇所でかつ長期間にわたると擦れ部分が劣化したりまたテカリが生じることにより、衣服の品質や品位を著しく低下させていた。【０００５】  これまでにもシートベルトの擦れによる運転者の衣服の劣化やテカリ発生の防止のため例えば特許文献１及び特許文献２に示すようなシートベルトカバーに関する発明がなされているが、シートベルトへの着脱が煩雑であったり、またシートベルト幅に合わせたカバーのサイズが必要となったり、さらにシートベルト着用中にカバーが移動するなどという課題があった。【０００６】  本考案は、シートベルトの擦れによる運転者の衣服の劣化やテカリ発生を防止するため、シートベルトに簡易に着脱できるカバーの提供を目的とする。
【課題を解決するための手段】
【０００７】  上記目的を達成するために、本考案のシートベルトカバーは、シートベルト幅の略３倍の幅とし、シートベルトカバー表面の一方の側端部の長さ方向に面ファスナーを上下端を含めて複数箇所取り付けるとともに、シートベルトカバー裏面の他方の側端部にも、シートベルトカバーを三つ折りしたときにシートベルトカバー表面に取り付けた面ファスナーがそれぞれ接着する位置に面ファスナーを取り付けたことを特徴としている。
【考案の効果】
【０００８】  本考案のシートベルトカバーを使用すれば、シートベルトへの装着を片手で簡単に行うことができ、さらに折り畳み（三つ折り）位置を自由に決められるのであらゆる幅のシートベルトにも対応することができる。
【図面の簡単な説明】
【０００９】
【図１】本考案に係るシートベルトカバー１の表面１ａを示す図である。
【図２】本考案に係るシートベルトカバー１の一部を折り畳んだ図である。
【図３】本考案に係るシートベルトカバー１を全て折り畳んだ図である。
【図４】本考案に係るシートベルトカバー１のシートベルト３への装着状態を示す図である。
【図５】本考案に係るシートベルトカバー１のシートベルト３へ装着する際の折り畳み順を示す図である。
【考案を実施するための形態】
【００１０】  以下、本考案に係るシートベルトカバーの一実施の形態について、図１乃至図５に基づいて説明する。
図１は、本考案に係るシートベルトカバー１の表面１ａを示す図であり、シートベルトカバー１の形状は方形とし、幅Ｗはシートベルト３の幅の略３倍程度、長さＬは幅Ｗと同程度乃至１．５倍程度がよい。シートベルトカバー１の表面１ａの一方の側端部に面ファスナー２ａ、２ｂを長さ方向に沿って取り付けている。面ファスナーの取り付け数は実施例では上下２箇所としているが、少なくとも上下２箇所を含め均等間隔で３乃至４枚取り付けてもよい。
【００１１】  また、シートベルトカバー１の裏面１ｂの他方の側端部には、シートベルトカバー１を三つ折りしたときにシートベルトカバー表面１ａに取り付けた面ファスナー２ａ、２ｂがそれぞれ接着する位置に面ファスナー２ｃ、２ｄを取り付けている。
面ファスナーの大きさは、請求項２に記載のとおり一箇所につき１．５ｃｍ乃至４ｃｍ角あるいは直径１．５ｃｍ乃至４ｃｍがよく、また大小サイズを組み合わせてもよい。
なお、シートベルトカバー１の素材については、折り返しがし易い布であれば特に問わない。
【００１２】  図１の状態からの本考案に係るシートベルトカバー１の折り畳み方を次に説明する。
先ず、図２に示すようにシートベルトカバー１の裏面に面ファスナー２ｃ、２ｄが取り付けてある側の幅Ｗの概ね１／３程度を表面に折り畳む。
次に、この状態から図３に示すようにシートベルトカバー１の表面に面ファスナー２ａ、２ｂが取り付けてある側の幅Ｗの概ね１／３程度を折り畳み２ａと２ｃ、及び２ｂと２ｄの面ファスナーをそれぞれ接着させる。
【００１３】  実際の使用では、運転者が運転前にシートベルト３を着用した後、図５に示すようにシートベルトカバー１の幅方向中央部をシートベルト３に沿って下側に置き、上述の手順に沿ってシートベルト３を包み込むように三つ折りし、面ファスナー２ａと２ｃ及び２ｂと２ｄをそれぞれ接着させて固定する。固定位置は図４に示すようにシートベルト３が最も密着する衣服の範囲、例えば右肩から右胸の範囲となるようにすればよい。
このように、シートベルトカバー１は、簡易にシートベルト３に装着できるため慣れれば片手でも行うことができる。
【００１４】  本考案のシートベルトカバー１を装着したシートベルト３を運転中に着用すれば、シートベルト３の衣服密着部との間で生じる擦れにより生じる衣服の劣化やテカリを軽減又は防止することができる。さらにこのカバーは、各メーカーのシートベルトの幅に柔軟に対応できるとともに、シートベルト３の衣服密着部との間のクッションの役目にもなるためシートベルト３の運転者身体への圧迫感を軽減させることもできる。
【００１５】  シートベルトカバー１は、運転が終わり、シートベルト３を取り外す直前に全ての面ファスナーを剥がして取り外す。また、シートベルトカバー１の長期間使用により汚れなどが付着した場合には都度洗濯すればよい。
【符号の説明】
【００１６】  １    シートベルトカバー
１ａ  シートベルトカバー表面
１ｂ  シートベルトカバー裏面
２ａ、２ｂ  面ファスナー（表面）
２ｃ、２ｄ  面ファスナー（裏面）
３    シートベルト
Ｌ    シートベルトカバーの長さ
Ｗ    シートベルトカバーの幅
【図１】
0003215360.tif 000003
【図２】
0003215360.tif 000004
【図３】
0003215360.tif 000005
【図４】
0003215360.tif 000006
【図５】
0003215360.tif 000007